(57)【要約】【課題】プッシュプル信号の振幅やオフセットに急激な変動がある場合のランドプリピットの誤検出を防ぐ。【解決手段】ウォブルピーク検波信号ＷＰＫに対して常時加算するための第１オフセットＯＦＳ１を発生させる第１オフセット生成部１０に加えて、プッシュプル信号ＰＰの変動検出信号ＳＷ１がアクティブの時にのみ第１オフセット加算後のウォブルピーク検波信号ＯＰＫに印加する第２オフセットＯＦＳ２を発生させる第２オフセット生成部１０３を設け、第１オフセット加算後のウォブルピーク検波信号ＯＰＫと第２オフセットＯＦＳ２との加算を加算器１２にて行い、比較器１３にてランドプリピットを検出するための基準となるスライス基準信号ＬＴＨ１を生成する。プッシュプル信号ＰＰに急激な変動がある期間のスライス基準信号ＬＴＨ１の電位がプッシュプル信号ＰＰのピークレベルよりも高くなるようにすることで、ランドプリピットの誤検出を防ぐ。【選択図】図１
2010257531.tif 000002
【特許請求の範囲】
【請求項１】
情報が記録されるトラックが蛇行したグルーブで形成され、前記グルーブ間のランドにアドレス情報がプリピットにより記録されている情報記録媒体に対してレーザ光を照射し、その反射光からウォブル信号成分及びランドプリピット信号成分を含むプッシュプル信号を生成し、前記プッシュプル信号から前記ランドプリピットを検出する方法であって、
前記プッシュプル信号に含まれるウォブル信号成分のピーク検波を行うウォブルピーク検波ステップと、
前記ウォブルピーク検波信号に対して加算するためのオフセット信号電位を可変して発生させるオフセット生成ステップと、
前記ウォブルピーク検波信号と、前記可変されるオフセット信号とを加算してランドプリピット検出の比較基準となるスライス信号を生成するステップと、
前記プッシュプル信号と前記スライス信号とを比較して、その比較結果を前記ランドプリピット信号として出力するランドプリピット生成ステップとを備え、
前記プッシュプル信号の状態又は装置動作状態の切り替わり点に応じて、前記オフセット信号の電位を変更することで前記スライス信号電位を可変させることを特徴とするランドプリピット検出方法。
【請求項２】
情報が記録されるトラックが蛇行したグルーブで形成され、前記グルーブ間のランドにアドレス情報がプリピットにより記録されている情報記録媒体に対してレーザ光を照射し、その反射光からウォブル信号成分及びランドプリピット信号成分を含むプッシュプル信号を生成し、前記プッシュプル信号から前記ランドプリピットを検出する情報記録再生装置であって、
前記プッシュプル信号に含まれるウォブル信号成分のピーク検波を行うウォブルピーク検波手段と、
前記ウォブルピーク検波信号に対して加算するためのオフセット信号電位を可変して発生させるオフセット生成手段と、
前記ウォブルピーク検波信号と、前記可変されるオフセット信号とを加算してランドプリピット検出の比較基準となるスライス信号を生成する手段と、
前記プッシュプル信号と前記スライス信号とを比較して、その比較結果を前記ランドプリピット信号として出力するランドプリピット生成手段とを備え、
前記プッシュプル信号の状態又は装置動作状態の切り替わり点に応じて、前記オフセット信号の電位を変更することで前記スライス信号電位を可変させることを特徴とする情報記録再生装置。
【請求項３】
請求項２に記載の情報記録再生装置において、
前記プッシュプル信号の状態検出の手段として、前記プッシュプル信号の振幅又は直流成分の急峻な変動を検出するプッシュプル信号変動検出手段を備え、
前記オフセット信号電位を可変して発生させるオフセット生成手段として、
前記ウォブルピーク検波信号に対して常時加算するための第１のオフセット信号を発生させる第１のオフセット生成手段と、
前記プッシュプル信号に急峻な変動を検出した場合に、第２のオフセット信号を発生させる第２のオフセット生成手段とを備え、
前記プッシュプル信号の急激な変動がある場合には、前記スライス信号の電位が前記プッシュプル信号のピークレベルよりも高い電位となるように、前記第２のオフセット信号を発生させることを特徴とする情報記録再生装置。
【請求項４】
請求項２に記載の情報記録再生装置において、
前記装置動作状態の切り替わり点を検出する手段として、記録動作と再生動作との切り替わり点を検出する手段を備え、
前記オフセット信号電位を可変して発生させるオフセット生成手段として、
前記ウォブルピーク検波信号に対して常時加算するための第１のオフセット信号を発生させる第１のオフセット生成手段と、
前記記録動作と再生動作との切り替わり点を検出した場合に、第２のオフセット信号を発生させる第２のオフセット生成手段とを備え、
前記記録動作と再生動作との切り替わり点で、前記スライス信号の電位が前記プッシュプル信号のピークレベルよりも高い電位となるように、前記第２のオフセット信号を発生させることを特徴とする情報記録再生装置。
【請求項５】
請求項２に記載の情報記録再生装置において、
前記装置動作状態の切り替わり点を検出する手段として、記録済み領域の再生動作と未記録領域の再生動作との切り替わり点を検出する手段を備え、
前記オフセット信号電位を可変して発生させるオフセット生成手段として、
前記ウォブルピーク検波信号に対して常時加算するための第１のオフセット信号を発生させる第１のオフセット生成手段と、
前記記録済み領域の再生動作と未記録領域の再生動作との切り替わり点を検出した場合に、第２のオフセット信号を発生させる第２のオフセット生成手段とを備え、
前記記録済み領域の再生動作と未記録領域の再生動作との切り替わり点で、前記スライス信号の電位が前記プッシュプル信号のピークレベルよりも高い電位となるように、前記第２のオフセット信号を発生させることを特徴とする情報記録再生装置。
【請求項６】
請求項２に記載の情報記録再生装置において、
前記装置動作状態の切り替わり点を検出する手段として、レーザパワーの切り替わり点を検出する手段を備え、
前記オフセット信号電位を可変して発生させるオフセット生成手段として、
前記ウォブルピーク検波信号に対して常時加算するための第１のオフセット信号を発生させる第１のオフセット生成手段と、
前記レーザパワーの切り替わり点を検出した場合に、第２のオフセット信号を発生させる第２のオフセット生成手段とを備え、
前記レーザパワーの切り替わり点で、前記スライス信号の電位が前記プッシュプル信号のピークレベルよりも高い電位となるように、前記第２のオフセット信号を発生させることを特徴とする情報記録再生装置。
【請求項７】
請求項２に記載の情報記録再生装置において、
前記装置動作状態の切り替わり点を検出する手段として、ディフェクト領域の再生動作と非ディフェクト領域の再生動作との切り替わり点を検出する手段を備え、
前記オフセット信号電位を可変して発生させるオフセット生成手段として、
前記ウォブルピーク検波信号に対して常時加算するための第１のオフセット信号を発生させる第１のオフセット生成手段と、
前記ディフェクト領域の再生動作と非ディフェクト領域の再生動作との切り替わり点を検出した場合に、第２のオフセット信号を発生させる第２のオフセット生成手段とを備え、
前記ディフェクト領域の再生動作と非ディフェクト領域の再生動作との切り替わり点で、前記スライス信号の電位が前記プッシュプル信号のピークレベルよりも高い電位となるように、前記第２のオフセット信号を発生させることを特徴とする情報記録再生装置。
【請求項８】
請求項３又は６に記載の情報記録再生装置において、
前記第２のオフセット信号の電位を可変する手段を更に備え、
前記プッシュプル信号変動検出手段で検出した変動量又はレーザパワーの変動量に応じて、前記第２のオフセット信号の電位を可変することで前記第２のオフセット信号の発生後の、ランドプリピット検出動作を早く復帰させることを特徴とする情報記録再生装置。
【請求項９】
請求項３〜８のいずれか１項に記載の情報記録再生装置において、
前記ウォブルピーク検波手段は、前記プッシュプル信号に含まれるウォブル信号成分のピーク検波を行う際にそのドループ量が可変であり、
前記ドループ量が可変であるウォブルピーク検波手段のドループ量を制御する手段を更に備え、
前記第２のオフセット信号の発生後は、前記ドループ量制御手段により前記ウォブルピーク検波手段のドループ追従速度を速くすることでランドプリピット検出動作を早く復帰させることを特徴とする情報記録再生装置。
【請求項１０】
請求項９に記載の情報記録再生装置において、
トラッキングエラー信号の変動を検出する手段を更に備え、
前記トラッキングエラー信号の変動量が小さくなった後、前記ドループ量制御手段により前記ウォブルピーク検波手段のドループ追従速度を速くすることでランドプリピット検出動作を早く復帰させることを特徴とする情報記録再生装置。
【発明の詳細な説明】
【技術分野】
【０００１】
本発明は、光ディスクに対して情報を記録する方法及び装置に関し、特に光ディスクの情報記録及び再生時におけるプリピット情報の検出方法に関するものである。
【背景技術】
【０００２】
光ディスクを用いた情報記録媒体においては、情報の記録／再生を可能にするために、記録再生動作に用いるクロック信号を生成するための基準信号や、アドレス情報が予め形成されている。その１つのフォーマットとして、ＤＶＤ−Ｒ／ＲＷがある。
【０００３】
ＤＶＤ−Ｒ／ＲＷにおいては、情報の記録／再生を行うディスクのグルーブ（案内溝とも呼ぶ）が一定の周波数で半径方向に揺動されるウォブルが設けられており、このウォブルに基づいて得られるウォブル信号は、情報の記録及び再生を行うクロックを生成するためのリファレンス信号や光ディスクの回転制御信号として利用される。ウォブル信号は、光ビームを光ディスクに照射し、グルーブからなるトラックに追従させ、その反射光をトラックに対して光ディスクの内周側と外周側から受光できるように少なくとも２つ以上に分割されて構成される光電素子で電気信号に変換し、内周側及び外周側からの反射信号の差をとった差動信号（以下、プッシュプル信号と称する）に基づいて生成される。またＤＶＤ−Ｒ／ＲＷにおいては、グルーブの間にあるランド部にプリピットが形成されており（以下、ランドプリピットと称する）、このランドプリピットの形成位置に基づき発生するランドプリピット信号は、情報の記録、再生を行う際に、光ディスクにおける物理的な位置を示すアドレス情報として利用される。ランドプリピット信号は、ウォブル信号と同様にプッシュプル信号に基づいて生成される。
【０００４】
ランドプリピットはウォブルの頂点に位置するように形成されており、プッシュプル信号は図２１（ａ）に示すように、ランドプリピット信号成分ＳＬＰ１，ＳＬＰ２，ＳＬＰ３がウォブル信号成分ＷＢＬの頂点に重畳されたものとなる。したがって、プッシュプル信号からのランドプリピット信号成分の抽出は所定のスライスレベルを閾値ＶＴＨとして、二値化処理を行うことで実現でき、この二値化信号がランドプリピット信号ＳＬＰＰとなる。
【０００５】
しかし、記録によってグルーブに記録マークが形成された場合、記録マーク部分の反射率は低くなり、ランドプリピット信号の振幅レベルが小さくなる。また、プッシュプル信号は隣接トラックからのクロストークあるいはディスク品質のばらつき等の影響、更にはトラック追従動作の不安定性によって、その信号振幅や直流成分に変動が生じており、スライスレベルを固定値とすると、記録マーク部分にある小振幅のランドプリピット信号が検出できない、あるいは、プッシュプル信号に含まれるノイズ成分をランドプリピット信号として誤検出するという問題があった。すなわち、図２１（ａ）においては、ランドプリピット信号ＳＬＰＰとして、ＳＬＰ１は正常に検出できているものの、ＳＬＰ２の近傍にあるノイズ成分を誤検出しており、またＳＬＰ３は閾値ＶＴＨよりも電位が低いため検出できていない状態にある。
【０００６】
特許文献１には、上記問題点を解決するためのランドプリピット検出方法が開示されており、図２１（ｂ）に示すようにプッシュプル信号のウォブル信号成分ＷＢＬをピーク検波し、そのウォブルピーク検波信号ＳＷＰＫに、所定のオフセットＳＯＦＳを加えた信号をスライスレベルの閾値ＳＴＨとして二値化処理を行い、その二値化信号をランドプリピット信号ＳＬＰＰとする方法である。この方法によれば、図２１（ｂ）のランドプリピット信号ＳＬＰＰに示すように、図２１（ａ）で発生していたＳＬＰ２近傍のノイズ誤検出や、ＳＬＰ３の未検出を回避できている。
【先行技術文献】
【特許文献】
【０００７】
【特許文献１】特開２００４−１３４００２号公報
【発明の概要】
【発明が解決しようとする課題】
【０００８】
ここで例えば、再生動作から記録動作への切り替わり点や、未記録領域の再生から記録済み領域の再生への切り替わり点、光ディスクに付着した汚れや傷等によるディフェクト領域の再生から汚れや傷等がない非ディフェクト領域への切り替わり点等、レーザパワーや反射光量の変化がある場合に、プッシュプル信号振幅を一定にするためにプッシュプル信号を生成するアンプ素子等のゲイン切り替えが行われる際に回路の応答性によっては、プッシュプル信号の振幅や直流成分が急峻に変動するときがある。
【０００９】
しかしながら、特許文献１によるランドプリピット検出方法では、ウォブル信号成分をピーク検波する回路として、波形の急峻な立ち上がりや立ち下がりノイズには応答しない追従性の悪いピークホールド回路で構成されているため、図２２のＡ部に示すように、プッシュプル信号の振幅やオフセットが急峻に変動した場合には、ピーク検波動作がその変動に追従できず、ウォブルピーク検波信号ＳＷＰＫが正確なウォブルピーク値を示さない状態になり、プッシュプル信号に含まれるウォブル信号成分やノイズ成分をランドプリピット信号ＳＬＰＰとして誤検出する可能性がある。
【００１０】
その結果、アドレス情報に誤りが生じ、シーク動作性能の低下や、記録開始直後のデータ記録位置ずれが生じ再生性能の低下が発生する。
【００１１】
すなわち、シーク動作においては、ランドプリピット信号の誤検出が発生し、誤ったアドレス情報を取得するため、所望の位置ではない場所を再生していると誤認識し、所望の位置付近を再生していても再度シーク動作を行うという不要な動作が発生し、シーク時間が長くなるという問題がある。
【００１２】
また、データ記録動作においては、既にデータの一部又は部分的に書き込まれている光ディスクに対して、書き込み済みのデータに引き続いて新たなデータを追加記録する場合、書き込み済みのデータ記録の際に使用された記録用クロックと、新たに追加記録する際の記録用クロックとの間で位相の違いが生じるときがあり、ランドプリピット信号から得られるアドレス情報を用いて記録用クロックの位相補正を行う方法があるが、このアドレス信号の情報に誤りがあると、正常な位相補正が行われない。この場合、追加記録後の光ディスクを再生したときに、データとともに記録される同期信号の間隔が他の記録済み領域での間隔と差異が生じ、同期信号が検出できずデータ再生が正常に行われない場合がある。あるいは、データ再生の際にその動作クロックとなる再生クロックを生成する方法として、再生データを入力としてＰＬＬ（Phase Locked Loop）回路を用いることが考えられるが、この場合、追加記録のつなぎ目前後で、記録用クロックに位相や周波数の差異が生じ、ＰＬＬ回路の同期動作が乱れ、再生クロックに基づいて再生データの復号処理を行う際に再生データを誤検出することになり、データ再生が正常に行われず、再生リーダビリティを低下させ、最悪の場合、追加記録データが再生不能になることがある。
【００１３】
また、プッシュプル信号に生じる振幅や直流成分の急峻な変動を回避するために、プッシュプル信号生成までの回路として、ゲイン設定を細かに可変するようにし、かつその応答速度を速くしたアンプ素子等を用いる方法もあるが、回路面積や消費電力が大きなものとなる。
【００１４】
本発明は、上記の点に鑑み、プッシュプル信号の振幅やオフセット等の急峻な変動がある場合でもランドプリピット信号の誤検出を防ぐことを目的とする。
【課題を解決するための手段】
【００１５】
上記の課題を解決するため、本発明は、情報が記録されるトラックが蛇行したグルーブで形成され、グルーブ間のランドにアドレス情報がプリピットにより記録されている情報記録媒体に対してレーザ光を照射し、その反射光からウォブル信号成分及びランドプリピット信号成分を含むプッシュプル信号を生成し、当該プッシュプル信号からランドプリピットを検出する装置において、プッシュプル信号に含まれるウォブル信号成分のピーク検波を行うウォブルピーク検波手段と、ウォブルピーク検波信号に対して加算するためのオフセット信号電位を可変して発生させるオフセット生成手段と、ウォブルピーク検波信号と可変されるオフセット信号とを加算してランドプリピット検出の比較基準となるスライス信号を生成する手段と、プッシュプル信号とスライス信号とを比較してその比較結果をランドプリピット信号として出力するランドプリピット生成手段とを備え、プッシュプル信号の状態又は装置動作状態の切り替わり点に応じて、オフセット信号の電位を変更することでスライス信号電位を可変させることを特徴とする。
【発明の効果】
【００１６】
これにより、プッシュプル信号に振幅やオフセット等の急峻な変動がある場合においても、その期間のスライス信号レベルがプッシュプル信号のピークレベルよりも高い電位にあるため、プッシュプル信号に含まれるランドプリピット信号以外のノイズ成分をランドプリピット信号として誤検出することを回避できる。
【００１７】
その結果、情報記録再生装置としてのシーク動作性能の低下や、記録開始直後のデータ記録位置ずれに起因する再生性能の低下を防ぐことができる。
【図面の簡単な説明】
【００１８】
【図１】本発明の実施形態１による情報記録再生装置の構成を示すブロック図である。
【図２】図１に示した情報記録再生装置における各部の信号波形を示す図である。
【図３】本発明の実施形態２による情報記録再生装置の構成を示すブロック図である。
【図４】図３に示した情報記録再生装置における各部の信号波形を示す図である。
【図５】本発明の実施形態３による情報記録再生装置の構成を示すブロック図である。
【図６】図５に示した情報記録再生装置における各部の信号波形を示す図である。
【図７】本発明の実施形態４による情報記録再生装置の構成を示すブロック図である。
【図８】図７に示した情報記録再生装置における各部の信号波形を示す図である。
【図９】本発明の実施形態５による情報記録再生装置の構成を示すブロック図である。
【図１０】図９に示した情報記録再生装置における各部の信号波形を示す図である。
【図１１】本発明の実施形態６による情報記録再生装置の構成を示すブロック図である。
【図１２】（ａ）及び（ｂ）は、図１及び図１１に示した情報記録再生装置における各部の信号波形を示す図である。
【図１３】本発明の実施形態７による情報記録再生装置の構成を示すブロック図である。
【図１４】（ａ）及び（ｂ）は、図７及び図１３に示した情報記録再生装置における各部の信号波形を示す図である。
【図１５】本発明の実施形態８による情報記録再生装置の構成を示すブロック図である。
【図１６】（ａ）及び（ｂ）は、図１及び図１５に示した情報記録再生装置における各部の信号波形を示す図である。
【図１７】本発明の実施形態９による情報記録再生装置の構成を示すブロック図である。
【図１８】（ａ）及び（ｂ）は、図１及び図１７に示した情報記録再生装置における各部の信号波形を示す図である。
【図１９】本発明の実施形態１０による情報記録再生装置において記録クロックを生成する構成を示すブロック図である。
【図２０】本発明の実施形態１０による情報記録再生装置においてシーク動作制御に関する構成を示すブロック図である。
【図２１】（ａ）及び（ｂ）は、従来の情報記録再生装置によるランドプリピット検出時の信号波形を示す図である。
【図２２】従来の情報記録再生装置によるプッシュプル信号に急峻な変動がある場合のランドプリピット検出時の信号波形を示す図である。
【発明を実施するための形態】
【００１９】
以下、本発明の実施形態について、図面を参照して説明する。なお、以下の各実施形態において、他の実施形態と同様の機能を有する構成要素については同一の符号を付して説明を省略する。
【００２０】
《実施形態１》
以下、本発明の実施形態１について、図面を参照しながら説明する。図１は、本発明の実施形態１による情報記録再生装置を示す構成図である。図１に示すように本発明の実施形態１に係る情報記録再生装置においては、光ピックアップ２を備え、光ピックアップ２に内蔵されたレーザダイオード３から出力されるレーザ光を、ランドプリピットを有する例えばＤＶＤ−ＲあるいはＤＶＤ−ＲＷからなる光ディスク１に照射することにより情報の記録及び再生を行っている。なお、レーザ光は、レーザパワー制御部８に対してシステム動作を制御するＣＰＵ（Central Processing Unit）７の指示により、記録時は再生時に比べて大きなパワーとなるように制御される。
【００２１】
また、光ピックアップ２には少なくとも光ディスク１の内周側と外周側とに分割された受光素子４（図１では４分割されたものを記載）を内蔵している。受光素子４は、レーザ光を光ディスク１に照射した時の反射光を受け取り、分割された各領域に生じた電流を電圧に変換する（Ｉ−Ｖ変換）。そして、内周側の電圧加算と外周側の電圧加算とを加算増幅器５ａ及び５ｂで行い、それぞれ内周側の加算信号と外周側の加算信号とを出力する。減算増幅器６では、内周側の加算信号と外周側の加算信号との減算を行い、記録時には記録パルス成分が除去され、また記録済み領域の再生時には再生信号からなるＲＦ（Radio Frequency）成分が除去された差信号を生成してプッシュプル信号ＰＰとして出力する。このプッシュプル信号ＰＰには、ウォブル信号成分とランドプリピット信号成分とに加えて、受光素子４の各領域にあたる反射光のずれやＩ−Ｖ変換のばらつき、あるいは加算増幅器５ａ及び５ｂのゲインの相対ばらつきに起因して減算増幅器６で除去できなかった記録パルスやＲＦの残留成分がノイズとして重畳されている。
【００２２】
ここで、記録時においては前述したようにレーザパワーが再生時に比べて大きくなるため、光ディスク１からの反射光量も大きくなり、受光素子４からの電圧レベルも高くなる。よってそれ以降の各部の信号振幅も大きくなるため、回路のダイナミックレンジを有効に使いＳ／Ｎを良好にした信号処理を行うために、受光素子４でのＩ−Ｖ変換、あるいは加算増幅器５ａ及び５ｂ、あるいは減算増幅器６でゲインの切り替えを行い、記録時と再生時との信号振幅を一定に保つことが一般的である。
【００２３】
また、再生時においても記録済みの領域を再生する場合には、光ディスク１に情報が記録された際に生じる記録マーク部分の反射光量は、情報が記録されていないスペース部分に比べて低下する。そのため、記録済み領域と未記録領域とでは各部の信号振幅が変化するので、記録時と同様に、受光素子４でのＩ−Ｖ変換、あるいは加算増幅器５ａ及び５ｂ、あるいは減算増幅器６でゲインの切り替えを行い、記録済み領域再生時と未記録領域再生時との信号振幅を一定に保つ処理を行う。
【００２４】
この記録時及び再生時のゲイン切り替えは、例えばＣＰＵ７からの指示で行われるが、各部の応答性やゲイン切り替えの精度、各部のゲイン設定により変動する出力オフセット量が起因して、プッシュプル信号ＰＰに急峻な振幅や直流成分変動が生じることがある。
【００２５】
またあるいは、汚れや傷等が光ディスク１に付着したディフェクト（defect）領域があると、汚れや傷等がない非ディフェクト領域に比べて反射光量が低下する。そのため、再生動作において光ピックアップ２がディフェクト領域から非ディフェクト領域へ通過すると、その際に得られるプッシュプル信号ＰＰの振幅には急激な変動が発生する。
【００２６】
プッシュプル信号変動検出部１０２は、プッシュプル信号ＰＰに生じる振幅や直流成分の変動を検出する。その検出方法としては、例えばプッシュプル信号ＰＰのピーク検波及びボトム検波を行い、ピーク検波値からボトム検波値の減算を行うことでプッシュプル信号ＰＰの振幅値を求め、所定レベル以上の振幅値となっている場合には振幅変動があるものとしてＨレベルを変動検出信号ＳＷ１として出力するようにする。また、ピーク検波値とボトム検波値との中心値をプッシュプル信号のオフセット値として求め、所定レベル以上のオフセット値となっている場合には直流成分変動があるものとしてＨレベルを変動検出信号ＳＷ１として出力するようにする。なお、プッシュプル信号ＰＰの振幅値及びオフセット値に変動があるか否かの判定値は、各部で可変するゲイン設定量や、各部が発生し得る出力オフセット量を加味して決定し、ＣＰＵ７から与えるようにしてもよいし、予めプッシュプル信号変動検出部１０２で固定値として持つ構成としてもよい。
【００２７】
遅延器１０１は、プッシュプル信号変動検出部１０２による変動検出信号ＳＷ１を、後述するランドプリピット生成処理に反映できるようにプッシュプル信号ＰＰを遅延させるものであり遅延後のプッシュプル信号ＰＰｄとして出力し、その遅延量ＤＬ１はプッシュプル信号変動検出部１０２がプッシュプル信号ＰＰの変動を検出して変動検出信号ＳＷ１をＬレベルからＨレベルにするまでの応答時間を加味して決定するようにすればよい。
【００２８】
遅延後のプッシュプル信号ＰＰｄは、ウォブルピーク検波部９に入力される。ウォブルピーク検波部９は、遅延後のプッシュプル信号ＰＰｄに含まれるランドプリピット信号成分には追従せずにウォブル信号成分のピーク値を検波する追従特性を持たせた構成となっており、ウォブルピーク検波信号ＷＰＫを出力する。
【００２９】
第１オフセット生成部１０は、ランドプリピットを安定して検出しやすくするために、ウォブルピーク検波信号ＷＰＫに印加する第１オフセットＯＦＳ１を生成するためのものであり、加算器１１でウォブルピーク検波信号ＷＰＫと第１オフセットＯＦＳ１との加算を行い、第１オフセット加算後のウォブルピーク検波信号ＯＰＫを生成する。第１オフセット生成部１０のオフセット量は、プッシュプル信号ＰＰに急峻な変動がない状態で、プッシュプル信号ＰＰに含まれるウォブル信号成分や、ノイズ成分（前述した記録時の残留記録パルス成分や、記録済み領域の残留ＲＦ成分等）を後述する比較器１３でスライスしてランドプリピットとして誤検出せずに、ランドプリピット信号成分のみをスライスできる固定値を予め第１オフセット生成部１０に持たせてもよいし、ランドプリピットの検出率が良くなるようにＣＰＵ７からの指示により可変する構成であってもよい。
【００３０】
第２オフセット生成部１０３は、プッシュプル信号ＰＰに急峻な変動がある場合に、第１オフセット加算後のウォブルピーク検波信号ＯＰＫに印加する第２オフセットＯＦＳ２を生成するためのものであり、変動検出信号ＳＷ１がＨレベルの時にのみ第２オフセットＯＦＳ２を出力するように構成されている。
【００３１】
加算器１２は、第１オフセット加算後のウォブルピーク検波信号ＯＰＫと第２オフセットＯＦＳ２との加算を行い、ランドプリピットを検出するための基準となるスライス基準信号ＬＴＨ１を生成する。
【００３２】
ここで、第２オフセット生成部１０３のオフセット量は、プッシュプル信号ＰＰに急峻な変動がある状態において、各部で可変するゲイン設定量や、各部が発生し得る出力オフセット量を加味して、スライス基準信号ＬＴＨ１の電位がプッシュプル信号ＰＰのランドプリピット信号成分を含めたピークレベルよりも高い電位となるように決定した固定値を予め第２オフセット生成部１０３に持たせてもよいし、ＣＰＵ７からの指示により固定値を第２オフセット生成部１０３に設定する構成であってもよい。
【００３３】
比較器１３の非反転入力には遅延後のプッシュプル信号ＰＰｄが入力され、反転入力にはスライス基準信号ＬＴＨ１が入力された構成となっている。この構成により、遅延後のプッシュプル信号ＰＰｄの電圧レベルがスライス基準信号ＬＴＨ１の電圧レベルよりも大きい場合には、比較器１３がＨレベルを出力するため、ランドプリピット信号成分がある時にはＨレベルを、ランドプリピット信号成分がない時にはＬレベルをランドプリピット信号ＬＰＰとして出力する。
【００３４】
図２は、本発明の実施形態１による、プッシュプル信号ＰＰに急峻な変動がある場合のランドプリピット検出動作に関して、図１に符号を付した各部の波形を示したものである。減算増幅器６で生成されたプッシュプル信号ＰＰは、プッシュプル信号変動検出部１０２で変動量の検出が行われる。この場合にはプッシュプル信号ＰＰの振幅変動の大きな箇所を検出して、変動検出信号ＳＷ１がＨレベルとなっている。
【００３５】
一方、ウォブルピーク検波部９には、プッシュプル信号ＰＰを遅延量ＤＬ１だけ遅延させた遅延後のプッシュプル信号ＰＰｄが入力され、ウォブルピーク検波信号ＷＰＫが出力される。そして、このウォブルピーク検波信号ＷＰＫに対して、変動検出信号ＳＷ１がＬレベルの場合には、第１オフセット生成部１０からの第１オフセットＯＦＳ１のみが印加され、変動検出信号ＳＷ１がＨレベルの場合には、第１オフセットＯＦＳ１に加えて第２オフセット生成部１０３からの第２オフセットＯＦＳ２が印加され、スライス基準信号ＬＴＨ１が生成される。
【００３６】
その後、比較器１３で遅延後のプッシュプル信号ＰＰｄをスライス基準信号ＬＴＨ１でスライスすると、プッシュプル信号ＰＰに急峻な変動がなく、変動検出信号ＳＷ１がＬレベルである場合には、スライス基準信号ＬＴＨ１の電位が遅延後のプッシュプル信号ＰＰｄに含まれるランドプリピット信号成分よりも低く、遅延後のプッシュプル信号ＰＰｄに含まれるウォブル信号成分や、ノイズ成分よりも高くなるため、ランドプリピット信号成分に応じてＨレベルの信号をランドプリピット信号ＬＰＰとして出力することができる。一方、プッシュプル信号ＰＰに急峻な変動があり、変動検出信号ＳＷ１がＨレベルとなった場合には、スライス基準信号ＬＴＨ１の電位が遅延後のプッシュプル信号ＰＰｄよりも高くなるため、プッシュプル信号ＰＰに含まれるウォブル信号成分や、ノイズ成分をランドプリピット信号ＬＰＰとして誤検出することはない。
【００３７】
本発明の実施形態１では、再生動作と記録動作との切り替わり点や、未記録領域の再生と記録済み領域の再生との切り替わり点、あるいはディフェクト領域から非ディフェクト領域への切り替わり点等、プッシュプル信号ＰＰに急峻な変動があっても、ランドプリピット信号ＬＰＰの誤検出を回避することができる。
【００３８】
《実施形態２》
以下、本発明の実施形態２について、図面を参照しながら説明する。図３は、本発明の実施形態２による情報記録再生装置を示す構成図であり、図１で示した実施形態１による情報記録再生装置との相違点は、遅延器１０１とプッシュプル信号変動検出部１０２とがなく、記録区間ゲート信号生成部２０２と、再生動作／記録動作切り替わり点検出部２０３とが設けられていることである。
【００３９】
また、図４は、本発明の実施形態２による、再生動作から記録動作への切り替わり点でプッシュプル信号ＰＰに急峻な変動がある場合のランドプリピット検出動作に関して、図３に符号を付した各部の波形を示したものである。
【００４０】
図３において、記録区間ゲート信号生成部２０２は、ＣＰＵ７からの指示を受け、記録動作を行う時には再生動作時とは電位の異なる記録区間ゲート信号ＧＴ２を生成し、例えば、図４に示すように再生時はＬレベル、記録時はＨレベルを出力する。
【００４１】
ここで、再生動作と記録動作との切り替わり点においては、光ピックアップ２から出力されるレーザ光のパワーが変動するため光ディスク１からの反射光量が変動するので、プッシュプル信号ＰＰに急峻な変動が生じる可能性がある。そのため、再生動作／記録動作切り替わり点検出部２０３には、記録区間ゲート信号ＧＴ２が入力され、そのエッジ検出を行い、例えば図４に示すように、再生動作／記録動作切り替わり点検出信号ＳＷ２として、Ｈレベルを出力し、プッシュプル信号ＰＰに急峻な変動が安定した所定時間Ｔの経過後にＬレベルとなる信号を生成する。なお、所定時間Ｔは、再生動作時と記録動作時とにおいて想定できる、レーザパワー差、各部で可変するゲイン設定量や、各部が発生し得る出力オフセット量、各部のゲイン切り替え時の応答特性を加味して決定し、ＣＰＵ７から与えるようにしてもよいし、予め再生動作／記録動作切り替わり点検出部２０３で固定値として持つ構成としてもよい。
【００４２】
一方、ウォブルピーク検波部９には、プッシュプル信号ＰＰが入力され、図４に示すようにウォブルピーク検波信号ＷＰＫが出力される。そして、このウォブルピーク検波信号ＷＰＫに対して、再生動作／記録動作切り替わり点検出信号ＳＷ２がＬレベルの場合には、第１オフセット生成部１０からの第１オフセットＯＦＳ１のみが印加され、再生動作／記録動作切り替わり点検出信号ＳＷ２がＨレベルの場合には、第１オフセットＯＦＳ１に加えて第２オフセット生成部１０３からの第２オフセットＯＦＳ２が印加され、スライス基準信号ＬＴＨ２が生成される。
【００４３】
その後、比較器１３でプッシュプル信号ＰＰをスライス基準信号ＬＴＨ２でスライスすると、プッシュプル信号ＰＰに急峻な変動がなく、再生動作／記録動作切り替わり点検出信号ＳＷ２がＬレベルである場合には、スライス基準信号ＬＴＨ２の電位がプッシュプル信号ＰＰに含まれるランドプリピット信号成分よりも低く、プッシュプル信号ＰＰに含まれるウォブル信号成分や、ノイズ成分よりも大きくなるため、ランドプリピット信号成分に応じてＨレベルの信号をランドプリピット信号ＬＰＰとして出力することができる。一方、プッシュプル信号ＰＰに急峻な変動があり、再生動作／記録動作切り替わり点検出信号ＳＷ２がＨレベルとなった場合には、スライス基準信号ＬＴＨ２の電位がプッシュプル信号ＰＰよりも高くなるため、プッシュプル信号ＰＰに含まれるウォブル信号成分や、ノイズ成分をランドプリピット信号ＬＰＰとして誤検出することはない。
【００４４】
なお、記録区間ゲート信号生成部２０２による記録区間ゲート信号ＧＴ２の生成の応答速度が遅く、再生動作／記録動作切り替わり点検出信号ＳＷ２の立ち上がり位置がプッシュプル信号ＰＰの急峻な変動位置よりも遅くなるような場合には、例えば、実施形態１で示したように、ウォブルピーク検波部９と比較器１３との前段に遅延器１０１を設け、遅延後のプッシュプル信号を用いてウォブル検波動作と、スライス基準信号ＬＴＨ２の生成動作と、ランドプリピット信号ＬＰＰの生成動作とを行うようにすればよい。あるいは、記録動作と再生動作との切り替え動作はＣＰＵ７からの指示によるものであるため、実際の記録動作と再生動作との切り替え動作よりも前に記録区間ゲート信号ＧＴ２を出力するようにすればよい。
【００４５】
本発明の実施形態２では、再生動作と記録動作との切り替わり点において、プッシュプル信号ＰＰに急峻な変動があっても、ランドプリピット信号ＬＰＰの誤検出を回避することができる。
【００４６】
また、記録区間ゲート信号ＧＴ２は、例えば記録データを出力するか否かの制御等、情報記録再生装置としての図３には図示していない他の構成要素でも用いられているため、記録区間ゲート信号生成部２０２は、本実施形態を実現するために新たに設ける必要がなく、また実施形態１で設けていたプッシュプル信号変動検出部１０２よりも簡素な構成となる再生動作／記録動作切り替わり点検出部２０３を用いるため、本発明の実施形態２による情報記録再生装置を電気回路で構成する場合には、回路面積や消費電力を削減することができる。
【００４７】
《実施形態３》
以下、本発明の実施形態３について、図面を参照しながら説明する。図５は、本発明の実施形態３による情報記録再生装置を示す構成図であり、図１で示した実施形態１による情報記録再生装置との相違点は、遅延器１０１とプッシュプル信号変動検出部１０２とがなく、記録済み領域検出ゲート信号生成部３０２と、記録済み領域／未記録領域切り替わり点検出部３０３とが設けられていることである。
【００４８】
また、図６は、本発明の実施形態３による、記録済み領域の再生と未記録領域の再生との切り替わり点でプッシュプル信号ＰＰに急峻な変動がある場合のランドプリピット検出動作に関して、図５に符号を付した各部の波形を示したものである。
【００４９】
図５において、記録済み領域検出ゲート信号生成部３０２には、光ディスク１からの再生信号を反射光として受光素子４で受けてＩ−Ｖ変換した、内周側の加算信号と外周側の加算信号とが、それぞれ加算増幅器５ａ及び５ｂから入力され、内周側の加算信号と外周側の加算信号との加算処理を行い、全加算信号を生成する。この全加算信号は、記録済み領域の再生動作時においては、ウォブル信号成分とランドプリピット信号成分とがほぼ除去されて、再生信号からなるＲＦ成分が主となる信号となり、未記録領域の再生動作時においては、再生信号がないためほぼ無信号状態になる。記録済み領域検出ゲート信号生成部３０２は、全加算信号を用いて記録済み領域か未記録領域かの検出を行っており、例えば全加算信号のピーク検波を行い、所定値以上のピーク値となっている場合には記録済み領域であると検出する等の方法を用い、未記録領域の再生動作時とは電位の異なる記録済み領域ゲート信号ＧＴ３を生成し、例えば、図６に示すように記録済み領域の再生動作時はＬレベル、未記録領域の再生動作時はＨレベルを出力する。なお、記録済み領域であるか否かの判定値は、全加算信号を生成するための各部で可変するゲイン設定量や、発生し得る出力オフセット量を加味して決定することができ、ＣＰＵ７から与えるようにしてもよいし、予め記録済み領域検出ゲート信号生成部３０２で固定値として持つ構成としてもよい。
【００５０】
ここで、記録済み領域の再生と未記録領域の再生との切り替わり点においては、記録マークの有無によって光ディスク１の反射率が変動するため、プッシュプル信号ＰＰに急峻な変動が生じる可能性がある。そのため、記録済み領域／未記録領域切り替わり点検出部３０３には、記録済み領域ゲート信号ＧＴ３が入力され、その立ち上がりエッジ検出を行い、例えば図６に示すように、記録済み領域／未記録領域切り替わり点検出信号ＳＷ３として、Ｈレベルを出力し、プッシュプル信号ＰＰに急峻な変動が安定した所定時間Ｔの経過後にＬレベルとなる信号を生成する。なお、所定時間Ｔは、記録済み領域再生動作時と未記録領域再生動作時とにおいて想定できる、各部で可変するゲイン設定量や、各部が発生し得る出力オフセット量、各部のゲイン切り替え時の応答特性を加味して決定し、ＣＰＵ７から与えるようにしてもよいし、予め記録済み領域／未記録領域切り替わり点検出部３０３で固定値として持つ構成としてもよい。
【００５１】
一方、ウォブルピーク検波部９には、プッシュプル信号ＰＰが入力され、ウォブルピーク検波信号ＷＰＫが出力される。そして、このウォブルピーク検波信号ＷＰＫに対して、記録済み領域／未記録領域切り替わり点検出信号ＳＷ３がＬレベルの場合には、第１オフセット生成部１０からの第１オフセットＯＦＳ１のみが印加され、記録済み領域／未記録領域切り替わり点検出信号ＳＷ３がＨレベルの場合には、第１オフセットＯＦＳ１に加えて第２オフセット生成部１０３からの第２オフセットＯＦＳ２が印加され、スライス基準信号ＬＴＨ３が生成される。
【００５２】
その後、比較器１３でプッシュプル信号ＰＰをスライス基準信号ＬＴＨ３でスライスすると、プッシュプル信号ＰＰに急峻な変動がなく、記録済み領域／未記録領域切り替わり点検出信号ＳＷ３がＬレベルである場合には、スライス基準信号ＬＴＨ３の電位がプッシュプル信号ＰＰに含まれるランドプリピット信号成分よりも低く、プッシュプル信号ＰＰに含まれるウォブル信号成分や、ノイズ成分よりも大きくなるため、ランドプリピット信号成分に応じてＨレベルの信号をランドプリピット信号ＬＰＰとして出力することができる。一方、プッシュプル信号ＰＰに急峻な変動があり、記録済み領域／未記録領域切り替わり点検出信号ＳＷ３がＨレベルとなった場合には、スライス基準信号ＬＴＨ３の電位がプッシュプル信号ＰＰよりも高くなるため、プッシュプル信号ＰＰに含まれるウォブル信号成分や、ノイズ成分をランドプリピット信号ＬＰＰとして誤検出することはない。
【００５３】
なお、記録済み領域検出ゲート信号生成部３０２による記録済み領域ゲート信号ＧＴ３の生成の応答速度が遅く、記録済み領域／未記録領域切り替わり点検出信号ＳＷ３の立ち上がり位置がプッシュプル信号ＰＰの急峻な変動位置よりも遅くなるような場合には、例えば、実施形態１で示したように、ウォブルピーク検波部９と比較器１３との前段に遅延器１０１を設け、遅延後のプッシュプル信号を用いてウォブル検波動作と、スライス基準信号ＬＴＨ３の生成動作と、ランドプリピット信号ＬＰＰの生成動作とを行うようにすればよい。
【００５４】
本発明の実施形態３では、記録済み領域の再生と未記録領域の再生との切り替わり点において、プッシュプル信号ＰＰに急峻な変動があっても、ランドプリピット信号ＬＰＰの誤検出を回避することができる。
【００５５】
また、記録済み領域ゲート信号ＧＴ３は、例えば一旦記録を行った情報記録媒体に対して追加記録を行うために未記録領域を検出する制御等、情報記録再生装置としての図５には図示していない他の構成要素でも用いられているため、記録済み領域検出ゲート信号生成部３０２は、本実施形態を実現するために新たに設ける必要がなく、また実施形態１で設けていたプッシュプル信号変動検出部１０２よりも簡素な構成となる記録済み領域／未記録領域切り替わり点検出部３０３を用いるため、本発明の実施形態３による情報記録再生装置を電気回路で構成する場合には、回路面積や消費電力を削減することができる。
【００５６】
《実施形態４》
以下、本発明の実施形態４について、図面を参照しながら説明する。図７は、本発明の実施形態４による情報記録再生装置を示す構成図であり、図１で示した実施形態１による情報記録再生装置との相違点は、遅延器１０１とプッシュプル信号変動検出部１０２とがなく、レーザパワー切り替わり点検出部４０３が設けられていることである。
【００５７】
また、図８は、本発明の実施形態３による、レーザパワーの切り替わり点でプッシュプル信号ＰＰに急峻な変動がある場合のランドプリピット検出動作に関して、図７に符号を付した各部の波形を示したものである。
【００５８】
図７において、レーザパワー制御部８は、ＣＰＵ７からの指示を受け、レーザパワーを大きくする時にはレーザパワーが小さい時とは電位の異なるレーザパワー変更ゲート信号ＧＴ４を生成し、例えば、図８に示すようにレーザパワーが小さい時はＬレベル、レーザパワーを大きくする時はＨレベルを出力する。ここで、レーザパワーが大きいか小さいかの判定は、例えば、再生動作と記録動作でのレーザパワー差であってもよいし、再生動作中においても、反射率に変化があった場合に再生信号を安定して読み取るためにレーザパワーを変化させるような構成となっている情報記録再生装置であれば、その再生中のレーザパワー差であってもよい。
【００５９】
ここで、レーザパワーの切り替わり点においては、光ディスク１からの反射光量が変動するので、プッシュプル信号ＰＰに急峻な変動が生じる可能性がある。そのため、レーザパワー切り替わり点検出部４０３には、レーザパワー変更ゲート信号ＧＴ４が入力され、その立ち上がりエッジ検出を行い、例えば図８に示すように、レーザパワー切り替わり点検出信号ＳＷ４として、Ｈレベルを出力し、プッシュプル信号ＰＰに急峻な変動が安定した所定時間Ｔの経過後にＬレベルとなる信号を生成する。なお、所定時間Ｔは、レーザパワーの変更において想定できる、レーザパワー差、各部で可変するゲイン設定量や、各部が発生し得る出力オフセット量、各部のゲイン切り替え時の応答特性を加味して決定し、ＣＰＵ７から与えるようにしてもよいし、予めレーザパワー切り替わり点検出部４０３で固定値として持つ構成としてもよい。
【００６０】
一方、ウォブルピーク検波部９には、プッシュプル信号ＰＰが入力され、図８に示すようにウォブルピーク検波信号ＷＰＫが出力される。そして、このウォブルピーク検波信号ＷＰＫに対して、レーザパワー切り替わり点検出信号ＳＷ４がＬレベルの場合には、第１オフセット生成部１０からの第１オフセットＯＦＳ１のみが印加され、レーザパワー切り替わり点検出信号ＳＷ４がＨレベルの場合には、第１オフセットＯＦＳ１に加えて第２オフセット生成部１０３からの第２オフセットＯＦＳ２が印加され、スライス基準信号ＬＴＨ４が生成される。
【００６１】
その後、比較器１３でプッシュプル信号ＰＰをスライス基準信号ＬＴＨ４でスライスすると、プッシュプル信号ＰＰに急峻な変動がなく、レーザパワー切り替わり点検出信号ＳＷ４がＬレベルである場合には、スライス基準信号ＬＴＨ４の電位がプッシュプル信号ＰＰに含まれるランドプリピット信号成分よりも低く、プッシュプル信号ＰＰに含まれるウォブル信号成分や、ノイズ成分よりも大きくなるため、ランドプリピット信号成分に応じてＨレベルの信号をランドプリピット信号ＬＰＰとして出力することができる。一方、プッシュプル信号ＰＰに急峻な変動があり、レーザパワー切り替わり点検出信号ＳＷ４がＨレベルとなった場合には、スライス基準信号ＬＴＨ４の電位がプッシュプル信号ＰＰよりも高くなるため、プッシュプル信号ＰＰに含まれるウォブル信号成分や、ノイズ成分をランドプリピット信号ＬＰＰとして誤検出することはない。
【００６２】
なお、レーザパワー制御部８によるレーザパワー変更ゲート信号ＧＴ４の生成の応答速度が遅く、レーザパワー切り替わり点検出信号ＳＷ４の立ち上がり位置がプッシュプル信号ＰＰの急峻な変動位置よりも遅くなるような場合には、例えば、実施形態１で示したように、ウォブルピーク検波部９と比較器１３との前段に遅延器１０１を設け、遅延後のプッシュプル信号を用いてウォブル検波動作と、スライス基準信号ＬＴＨ４の生成動作と、ランドプリピット信号ＬＰＰの生成動作とを行うようにすればよい。あるいは、レーザパワーの切り替え動作はＣＰＵ７からの指示によるものであるため、実際のレーザパワーの切り替え動作よりも前にレーザパワー変更ゲート信号ＧＴ４を出力するようにすればよい。
【００６３】
本発明の実施形態４では、レーザパワーの切り替わり点において、プッシュプル信号ＰＰに急峻な変動があっても、ランドプリピット信号ＬＰＰの誤検出を回避することができる。
【００６４】
また、また実施形態１で設けていたプッシュプル信号変動検出部１０２よりも簡素な構成となるレーザパワー切り替わり点検出部４０３を用いるため、本発明の実施形態４による情報記録再生装置を電気回路で構成する場合には、回路面積や消費電力を削減することができる。
【００６５】
《実施形態５》
以下、本発明の実施形態５について、図面を参照しながら説明する。図９は、本発明の実施形態５による情報記録再生装置を示す構成図であり、図１で示した実施形態１による情報記録再生装置との相違点は、遅延器１０１とプッシュプル信号変動検出部１０２とがなく、ディフェクト領域検出ゲート信号生成部５０２と、ディフェクト領域／非ディフェクト領域切り替わり点検出部５０３とが設けられていることである。
【００６６】
また、図１０は、本発明の実施形態５による、ディフェクト領域の再生と非ディフェクト領域の再生との切り替わり点でプッシュプル信号ＰＰに急峻な変動がある場合のランドプリピット検出動作に関して、図９に符号を付した各部の波形を示したものである。
【００６７】
図９において、ディフェクト領域検出ゲート信号生成部５０２には、光ディスク１からの再生信号を反射光として受光素子４で受けてＩ−Ｖ変換した、内周側の加算信号と外周側の加算信号とが、それぞれ加算増幅器５ａ及び５ｂから入力される。ディフェクト領域検出ゲート信号生成部５０２では、内周側の加算信号と外周側の加算信号とを用いて、光ディスク１に付着した汚れや傷等によるディフェクト部があるか否かの検出を行っており、例えば、内周側の加算信号と外周側の加算信号との加算を行うことで記録済み領域ではＲＦ成分を含む全加算信号を生成し、かつ内周側の加算信号と外周側の加算信号との減算を行うことでウォブル信号成分及びランドプリピット信号成分を含む差信号を生成し、全加算信号と差信号とをそれぞれピーク検波し、その結果得られるそれぞれのピーク信号の加算信号が、所定値以下のピーク値となっている場合にはディフェクト領域であると検出する等の方法を用い、非ディフェクト領域の再生動作時とは電位の異なるディフェクト領域ゲート信号ＧＴ５を生成し、例えば、図１０に示すようにディフェクト領域の再生動作時はＬレベル、非ディフェクト領域の再生動作時はＨレベルを出力する。なお、ディフェクト領域であるか否かの判定値は、全加算信号及び差信号を生成するための各部で可変するゲイン設定量や、発生し得る出力オフセット量を加味して決定することができ、ＣＰＵ７から与えるようにしてもよいし、予めディフェクト領域検出ゲート信号生成部５０２で固定値として持つ構成としてもよい。
【００６８】
ここで、ディフェクト領域の再生と非ディフェクト領域の再生との切り替わり点においては、ディフェクト状態によって光ディスク１の反射率が変動するため、プッシュプル信号ＰＰに急峻な変動が生じる可能性がある。そのため、ディフェクト領域／非ディフェクト領域切り替わり点検出部５０３には、ディフェクト領域ゲート信号ＧＴ５が入力され、その立ち上がりエッジ検出を行い、例えば図１０に示すように、ディフェクト領域／非ディフェクト領域切り替わり点検出信号ＳＷ５として、Ｈレベルを出力し、プッシュプル信号ＰＰに急峻な変動が安定した所定時間Ｔの経過後にＬレベルとなる信号を生成する。なお、所定時間Ｔは、ディフェクト領域再生動作時と非ディフェクト領域再生動作時とにおいて想定できる、各部で可変するゲイン設定量や、各部が発生し得る出力オフセット量、各部のゲイン切り替え時の応答特性を加味して決定することができ、またディフェクト領域が小さい場合等、各部でのゲイン切り替えを行わない場合には、各部の応答特性を加味することで決定できる。そして、この値をＣＰＵ７から与えるようにしてもよいし、予めディフェクト領域／非ディフェクト領域切り替わり点検出部５０３で固定値として持つ構成としてもよい。
【００６９】
一方、ウォブルピーク検波部９には、プッシュプル信号ＰＰが入力され、ウォブルピーク検波信号ＷＰＫが出力される。そして、このウォブルピーク検波信号ＷＰＫに対して、ディフェクト領域／非ディフェクト領域切り替わり点検出信号ＳＷ５がＬレベルの場合には、第１オフセット生成部１０からの第１オフセットＯＦＳ１のみが印加され、ディフェクト領域／非ディフェクト領域切り替わり点検出信号ＳＷ５がＨレベルの場合には、第１オフセットＯＦＳ１に加えて第２オフセット生成部１０３からの第２オフセットＯＦＳ２が印加され、スライス基準信号ＬＴＨ５が生成される。
【００７０】
その後、比較器１３でプッシュプル信号ＰＰをスライス基準信号ＬＴＨ５でスライスすると、プッシュプル信号ＰＰに急峻な変動がなく、ディフェクト領域／非ディフェクト領域切り替わり点検出信号ＳＷ５がＬレベルである場合には、スライス基準信号ＬＴＨ５の電位がプッシュプル信号ＰＰに含まれるランドプリピット信号成分よりも低く、プッシュプル信号ＰＰに含まれるウォブル信号成分や、ノイズ成分よりも大きくなるため、ランドプリピット信号成分に応じてＨレベルの信号をランドプリピット信号ＬＰＰとして出力することができる。一方、プッシュプル信号ＰＰに急峻な変動があり、ディフェクト領域／非ディフェクト領域切り替わり点検出信号ＳＷ５がＨレベルとなった場合には、スライス基準信号ＬＴＨ５の電位がプッシュプル信号ＰＰよりも高くなるため、プッシュプル信号ＰＰに含まれるウォブル信号成分や、ノイズ成分をランドプリピット信号ＬＰＰとして誤検出することはない。
【００７１】
なお、ディフェクト領域検出ゲート信号生成部５０２によるディフェクト領域ゲート信号ＧＴ５の生成の応答速度が遅く、ディフェクト領域／非ディフェクト領域切り替わり点検出信号ＳＷ５の立ち上がり位置がプッシュプル信号ＰＰの急峻な変動位置よりも遅くなるような場合には、例えば、実施形態１で示したように、ウォブルピーク検波部９と比較器１３との前段に遅延器１０１を設け、遅延後のプッシュプル信号を用いてウォブル検波動作と、スライス基準信号ＬＴＨ５の生成動作と、ランドプリピット信号ＬＰＰの生成動作とを行うようにすればよい。
【００７２】
本発明の実施形態５では、ディフェクト領域の再生と非ディフェクト領域の再生との切り替わり点において、プッシュプル信号ＰＰに急峻な変動があっても、ランドプリピット信号ＬＰＰの誤検出を回避することができる。
【００７３】
また、ディフェクト領域ゲート信号ＧＴ５は、光ピックアップ２からのレーザスポットを光ディスク１のトラックに追従させるサーボ制御を、ディフェクト領域ではホールドするための制御に用いる等、情報記録再生装置としての図９には図示していない他の構成要素でも用いられているため、ディフェクト領域検出ゲート信号生成部５０２は、本実施形態を実現するために新たに設ける必要がなく、また実施形態１で設けていたプッシュプル信号変動検出部１０２よりも簡素な構成となるディフェクト領域／非ディフェクト領域切り替わり点検出部５０３を用いるため、本発明の実施形態５による情報記録再生装置を電気回路で構成する場合には、回路面積や消費電力を削減することができる。
【００７４】
《実施形態６》
以下、本発明の実施形態６について、図面を参照しながら説明する。図１１は、本発明の実施形態６による情報記録再生装置を示す構成図であり、図１で示した実施形態１による情報記録再生装置との相違点は、第２オフセット生成部１０３から出力する第２オフセットＯＦＳ２を可変するための、オフセット量可変部６０１を更に設けた点にある。オフセット量可変部６０１には、プッシュプル信号変動検出部１０２で検出したプッシュプル信号ＰＰの変動情報が入力され、この変動情報に応じてオフセット量を可変し、可変オフセット信号ＶＯＦＳ２を出力する。そして、第２オフセット生成部１０３は、実施形態１と同様に変動検出信号ＳＷ１がＨレベルの時にのみ、可変オフセット信号ＶＯＦＳ２を第２オフセットＯＦＳ２として出力するように構成されている。
【００７５】
また、図１２（ａ）及び図１２（ｂ）は、本発明の実施形態１及び実施形態６による、プッシュプル信号ＰＰに急峻な変動がある場合のランドプリピット検出動作に関して、図１及び図１１に符号を付した各部の波形を示したものであり、図２に示したプッシュプル信号ＰＰよりも変動量が小さく、またプッシュプル信号ＰＰの変動部分に近い位置にランドプリピット信号成分がある場合のものである。
【００７６】
ここで、図１２（ａ）は、実施形態１に記載したように第２オフセットＯＦＳ２を、プッシュプル信号ＰＰの変動量に関係なく所定の固定値として印加してスライス基準信号ＬＴＨ１を生成した場合の各部の波形を示しており、遅延後のプッシュプル信号ＰＰｄの変動部分に近い位置にあるランドプリピット信号成分の一部が未検出となっている（図１２（ａ）に記載のランドプリピット信号ＬＰＰの点線部分を参照）。一方、図１２（ｂ）は実施形態６による各部の波形を示しており、変動検出信号ＳＷ１がＨレベルの時に印加する第２オフセットＯＦＳ２として、プッシュプル信号ＰＰの変動量に応じて変化する可変オフセット信号ＶＯＦＳ２をウォブルピーク検波信号ＷＰＫに印加して生成されたスライス基準信号ＶＴＨ６をもとにランドプリピット信号ＬＰＰを検出するため、図１２（ａ）では未検出となっていた遅延後のプッシュプル信号ＰＰｄの変動部分に近い位置のランドプリピット信号成分が正常に検出できている。
【００７７】
本発明の実施形態６では、再生動作と記録動作との切り替わり点や、未記録領域の再生と記録済み領域の再生との切り替わり点、あるいはディフェクト領域から非ディフェクト領域への切り替わり点等、プッシュプル信号ＰＰに急峻な変動があっても、ランドプリピット信号ＬＰＰの誤検出を回避することができることに加えて、プッシュプル信号ＰＰの変動量に応じて第２オフセットＯＦＳ２を可変する構成としているため、プッシュプル信号ＰＰの変動が収束してからのランドプリピット検出動作を早く復帰させることができる。
【００７８】
《実施形態７》
以下、本発明の実施形態７について、図面を参照しながら説明する。図１３は、本発明の実施形態７による情報記録再生装置を示す構成図であり、図７で示した実施形態４による情報記録再生装置との相違点は、第２オフセット生成部１０３から出力する第２オフセットＯＦＳ２を可変するための、オフセット量可変部７０１を更に設けた点にある。オフセット量可変部７０１には、レーザパワー制御部８からのレーザパワー変動情報が入力され、このレーザパワー変動情報に応じてオフセット量を可変し、可変オフセット信号ＶＯＦＳ２を出力する。そして、第２オフセット生成部１０３は、実施形態４と同様にレーザパワー切り替わり点検出信号ＳＷ４がＨレベルの時にのみ、可変オフセット信号ＶＯＦＳ２を第２オフセットＯＦＳ２として出力するように構成されている。
【００７９】
また、図１４（ａ）及び図１４（ｂ）は、本発明の実施形態４及び実施形態７による、レーザパワーの切り替わり点でプッシュプル信号ＰＰに急峻な変動がある場合のランドプリピット検出動作に関して、図７及び図１３に符号を付した各部の波形を示したものであり、図８に示したプッシュプル信号ＰＰよりも変動量が小さく、またプッシュプル信号ＰＰの変動部分に近い位置にランドプリピット信号成分がある場合のものである。
【００８０】
ここで、図１４（ａ）は、実施形態４に記載したように第２オフセットＯＦＳ２を、レーザパワーの変動量に関係なく所定の固定値として印加してスライス基準信号ＬＴＨ４を生成した場合の各部の波形を示しており、プッシュプル信号ＰＰの変動部分に近い位置にあるランドプリピット信号成分の一部が未検出となっている（図１４（ａ）に記載のランドプリピット信号ＬＰＰの点線部分を参照）。一方、図１４（ｂ）は実施形態７による各部の波形を示しており、レーザパワー切り替わり点検出信号ＳＷ４がＨレベルの時に印加する第２オフセットＯＦＳ２として、レーザパワーの変動量に応じて変化する可変オフセット信号ＶＯＦＳ２を印加するが、この可変オフセット信号ＶＯＦＳ２としては、例えば、図１４（ｂ）に示したように初期電位Ｖｓを発生させた後、徐々にその電位を下げていくようなものとする。なお、初期電位Ｖｓ及びその電位を下げる割合は、レーザパワーの変動量に応じて、各部で可変するゲイン設定量や、各部で発生し得る出力オフセット量、またレーザパワー変動によって発生するプッシュプル信号ＰＰの変動が、通常レベルに収束するための時間に関わる各部の応答特性等を加味して決定すればよい。このように、生成された可変オフセット信号ＶＯＦＳ２をウォブルピーク検波信号ＷＰＫに印加して生成されたスライス基準信号ＶＴＨ７をもとにランドプリピット信号ＬＰＰを検出するため、図１４（ａ）では未検出となっていたプッシュプル信号ＰＰの変動部分に近い位置のランドプリピット信号成分が正常に検出できている。
【００８１】
本発明の実施形態７では、レーザパワーの切り替わり点において、プッシュプル信号ＰＰに急峻な変動があっても、ランドプリピット信号ＬＰＰの誤検出を回避することができることに加えて、プッシュプル信号ＰＰの変動量に応じて第２オフセットＯＦＳ２を可変する構成としているため、プッシュプル信号ＰＰの変動が収束してからのランドプリピット検出動作を早く復帰させることができる。
【００８２】
《実施形態８》
以下、本発明の実施形態８について、図面を参照しながら説明する。図１５は、本発明の実施形態８による情報記録再生装置を示す構成図であり、図１で示した実施形態１による情報記録再生装置との相違点は、ウォブルピーク検波部９における遅延後のプッシュプル信号ＰＰｄのウォブル信号成分のピーク値検波動作のドループ量を可変するための、ドループ量制御部８０１を更に設けた点にある。ドループ量制御部８０１には、プッシュプル信号変動検出部１０２からの変動検出信号ＳＷ１が入力され、その立ち下がり位置を検出して、所定時間ＤＰＴだけドループ量を大きくしてドループ追従速度が速くなるようにウォブルピーク検波部９を制御する。なお、このドループ量を変更する所定時間ＤＰＴは、プッシュプル信号ＰＰが変動する最大のピーク値から通常レベルの振幅に収束するまでの時間を、各部で可変するゲイン設定量や、発生し得る出力オフセット量を加味して決定して、ドループ量制御部８０１に固定値として待たせてもよいし、ウォブルピーク検波部９で次のウォブル信号成分のピーク値を検出するまでの時間としてもよい。
【００８３】
また、図１６（ａ）及び図１６（ｂ）は、本発明の実施形態１及び実施形態８による、プッシュプル信号ＰＰに急峻な変動があり、またプッシュプル信号ＰＰの変動部分に近い位置にランドプリピット信号成分がある場合のランドプリピット検出動作に関して、図１及び図１５に符号を付した各部の波形を示したものである。
【００８４】
ここで、図１６（ａ）は、実施形態１によるものであり、ウォブルピーク検波信号ＷＰＫのドループ動作（ウォブルピーク検波信号ＷＰＫにおいて右下がりとなっている箇所）が常に固定された傾きで電位が下がる特性を有している場合、これをもとに生成されるスライス基準信号ＬＴＨ１を用いてランドプリピット検出を行うと、遅延後のプッシュプル信号ＰＰｄの変動が収束した部分に位置するランドプリピット信号成分の一部が未検出となっている（図１６（ａ）に記載のランドプリピット信号ＬＰＰの点線部分を参照）。一方、図１６（ｂ）は実施形態８による各部の波形を示しており、変動検出信号ＳＷ１の立ち下がりからの所定時間ＤＰＴだけウォブルピーク検波信号ＷＰＫ８のドループ追従速度が速くなっているため、これをもとに生成されるスライス基準信号ＶＴＨ８もＤＰＴで示した期間の傾きが通常よりも急になるため、このスライス基準信号ＶＴＨ８を用いてランドプリピット検出を行うと、図１６（ａ）では未検出となっていた遅延後のプッシュプル信号ＰＰｄの変動が収束した部分に位置するランドプリピット信号成分が正常に検出できている。
【００８５】
本発明の実施形態８では、再生動作と記録動作との切り替わり点や、未記録領域の再生と記録済み領域の再生との切り替わり点、あるいはディフェクト領域から非ディフェクト領域への切り替わり点等、プッシュプル信号ＰＰに急峻な変動があっても、ランドプリピット信号ＬＰＰの誤検出を回避することができる。また、プッシュプル信号ＰＰの変動収束後にウォブル信号成分のピーク値検波動作のドループ量を所定時間ＤＰＴだけ大きくしてドループ追従速度を速くする構成としているため、プッシュプル信号ＰＰの変動が収束してからのランドプリピット検出動作を早く復帰させることができる。
【００８６】
なお、上記は、実施形態１に記載の情報記録再生装置をもとにドループ追従速度を可変する例を示しているが、これは実施形態２から実施形態７に記載の情報記録再生装置にも用いることができる。その構成としては、各実施形態に設けられたウォブルピーク検波部９の前段にドループ量制御部８０１を設け、そのドループ量を大きくするためのきっかけとなる信号としては、それぞれ、再生動作／記録動作切り替わり点検出信号ＳＷ２、記録済み領域／未記録領域切り替わり点検出信号ＳＷ３、レーザパワー切り替わり点検出信号ＳＷ４、ディフェクト領域／非ディフェクト領域切り替わり点検出信号ＳＷ５を用い、その立ち下がり位置から所定時間ＤＰＴだけウォブルピーク検波信号ＷＰＫのドループ追従速度を速くするようにすればよい。これにより、実施形態２から実施形態７においてもプッシュプル信号ＰＰの変動が収束してからのランドプリピット検出動作を早く復帰させることができ、特に第２オフセットＯＦＳ２を可変する構成としている実施形態６及び実施形態７においては、ランドプリピット検出動作復帰までの時間を短くすることができる効果が大きい。
【００８７】
《実施形態９》
以下、本発明の実施形態９について、図面を参照しながら説明する。図１７は、本発明の実施形態９による情報記録再生装置を示す構成図であり、図１５で示した実施形態８による情報記録再生装置との相違点は、トラッキングエラー生成部９０１と、トラッキングエラー変動検出部９０２とを設けた点にある。
【００８８】
また、図１８（ａ）及び図１８（ｂ）は、本発明の実施形態１及び実施形態９による、シーク動作から再生動作への切り替わりで、プッシュプル信号ＰＰに急峻な変動があり、またシーク動作直後の位置にランドプリピット信号成分がある場合のランドプリピット検出動作に関して、図１及び図１７に符号を付した各部の波形を示したものである。
【００８９】
トラッキングエラー生成部９０１には、例えば受光素子４からＩ−Ｖ変換された信号が入力され、光ピックアップ２からのレーザスポットを光ディスク１のトラックに追従させるサーボ制御を行うためのトラッキングエラー信号ＴＥが生成される。トラッキングエラー変動検出部９０２は、トラッキングエラー信号ＴＥの変動を検出し、例えば、図１８（ｂ）に示したように、シーク動作中等、サーボ制御によるトラック追従の状態が安定していない場合にはＬレベルとなり、トラック引き込みを行って再生動作に移行し、トラック追従の状態が安定した場合にはＨレベルとなる、トラッキングエラー変動状態信号ＴＧを出力する。また、ドループ量制御部８０１には、トラッキングエラー変動状態信号ＴＧと、プッシュプル信号変動検出部１０２からの変動検出信号ＳＷ１とが入力され、トラッキングエラー変動状態信号ＴＧの立ち上がり位置か、あるいは変動検出信号ＳＷ１の立ち下がり位置かのうち早い方を検出した後に、所定時間ＤＰＴだけドループ量を大きくしてドループ追従速度が速くなるようにウォブルピーク検波部９を制御する。なお、このドループ量を変更する所定時間ＤＰＴは、シーク動作中のプッシュプル信号ＰＰが取り得る最大のピーク値から再生動作時の通常レベル振幅に収束するまでの時間を、各部で可変するゲイン設定量や、発生し得る出力オフセット量を加味して決定して、ドループ量制御部８０１に固定値として待たせてもよいし、ウォブルピーク検波部９で次のウォブル信号成分のピーク値を検出するまでの時間としてもよい。また、上記したドループ量変更の開始位置は、トラッキングエラー変動状態信号ＴＧがＬレベルとなっている場合には、変動検出信号ＳＷ１の立ち下がり位置を使用せずに、トラッキングエラー変動状態信号ＴＧの立ち上がり位置を使用するようにしてもよい。
【００９０】
ここで、図１８（ａ）は、実施形態１によるものであり、ウォブルピーク検波信号ＷＰＫのドループ動作（ウォブルピーク検波信号ＷＰＫにおいて右下がりとなっている箇所）が常に固定された傾きで電位が下がる特性を有している場合、これをもとに生成されるスライス基準信号ＬＴＨ１を用いてランドプリピット検出を行うと、シーク動作から再生動作に移行し、ウォブルピーク検波部９における遅延後のプッシュプル信号ＰＰｄの変動が収束した部分に位置するランドプリピット信号成分が未検出となっている（図１８（ａ）に記載のランドプリピット信号ＬＰＰの点線部分を参照）。なお、図１８（ａ）では、図１中に存在しないトラッキングエラー信号ＴＥ及びトラッキングエラー変動状態信号ＴＧが参考のために描かれている。
【００９１】
一方、図１８（ｂ）は、実施形態９による各部の波形を示しており、変動検出信号ＳＷ１の立ち下がり位置よりも早い、トラッキングエラー変動状態信号ＴＧの立ち上がり位置を用いて、所定時間ＤＰＴだけウォブルピーク検波信号ＷＰＫ９のドループ追従速度を速くしている。したがって、このウォブルピーク検波信号ＷＰＫ９をもとに生成されるスライス基準信号ＶＴＨ９もＤＰＴで示した期間の傾きが通常よりも急になるため、このスライス基準信号ＶＴＨ９を用いてランドプリピット検出を行うと、図１８（ａ）では未検出となっていたシーク動作から再生動作への移行直後にあるランドプリピット信号成分が正常に検出できている。
【００９２】
本発明の実施形態９では、再生動作と記録動作との切り替わり点や、未記録領域の再生と記録済み領域の再生との切り替わり点、あるいはディフェクト領域から非ディフェクト領域への切り替わり点等、プッシュプル信号ＰＰに急峻な変動があっても、ランドプリピット信号ＬＰＰの誤検出を回避することができる。また、シーク動作にともなうプッシュプル信号ＰＰの変動収束後にウォブル信号成分のピーク値検波動作のドループ量を所定時間ＤＰＴだけ大きくしてドループ追従速度を速くする構成としているため、シーク動作直後のランドプリピット検出動作を早く復帰させることができる。
【００９３】
なお、上記は、実施形態８に記載の情報記録再生装置をもとにシーク動作直後のドループ追従速度を可変する例を示しているが、これは実施形態１から実施形態７に記載の情報記録再生装置にも用いることができる。その構成としては、各実施形態に設けられたウォブルピーク検波部９の前段にドループ量制御部８０１を設け、更にトラッキングエラー信号ＴＥの変動を検出するトラッキングエラー変動検出部９０２を設け、トラッキングエラー変動検出部９０２からのトラッキングエラー変動状態信号ＴＧをドループ量制御部８０１に入力するようにして、トラッキングエラー変動状態信号ＴＧの立ち上がり位置から所定時間ＤＰＴだけウォブルピーク検波信号ＷＰＫのドループ追従速度を速くするようにすればよい。これにより、実施形態１から実施形態７においてもシーク動作直後のランドプリピット検出動作を早く復帰させることができる。
【００９４】
また、上記各実施形態に係る情報記録再生装置を電気回路で構成する場合には、プッシュプル信号ＰＰに生じる急峻な変動を回避するために、プッシュプル信号ＰＰを生成するアンプ素子等を、細かなゲイン設定を高速で可変するような構成としなくてもよいため、回路面積や消費電力を削減することができる。
【００９５】
なお、上記各実施形態に係る情報記録再生装置において、第１オフセット生成部１０と第２オフセット生成部１０３とは、そのオフセット量を変更できる１つのオフセット生成部として構成するようにして、プッシュプル信号ＰＰに急峻な変動がない場合には、ランドプリピット信号を検出可能なスライス基準電位となるように一定量のオフセット電位を出力できるようにし、プッシュプル信号ＰＰに急峻な変動が生じた場合には、スライス基準電位がプッシュプル信号ＰＰのピークレベルよりも高い電位となるようなオフセット電位を出力できるようにしてもよい。
【００９６】
《実施形態１０》
以下、本発明の実施形態１０について、図面を参照しながら説明する。図１９は、本発明の実施形態１０による情報記録再生装置の、記録クロック生成に関する構成図を示しており、その情報記録再生装置としては、実施形態２によるものを用いた一例である。
【００９７】
図１９において、プッシュプル信号ＰＰはウォブル抽出部１００２に入力され、ウォブル信号ＷＢＰＦの抽出が行われる。ウォブル抽出部１００２は、例えばバンドパスフィルタで構成され、プッシュプル信号ＰＰに含まれるランドプリピット成分及び記録動作時の記録パルス残留成分や再生動作時のＲＦ残留成分からなる高周波成分と、サーボ制御では除去しきれなかった直流的なオフセット成分からなる低周波成分との除去を行う。ウォブル信号ＷＢＰＦは、ウォブルＰＬＬ部１００３に入力され、記録クロックを生成する。
【００９８】
また、ランドプリピット信号ＬＰＰは、ＬＰＰデコード部１００１に入力され、ＬＰＰアドレス情報を取得しＣＰＵ７に送信する。ＣＰＵ７はＬＰＰアドレス情報や再生動作あるいは記録動作等のドライブ状態に応じて、ウォブルＰＬＬ部１００３のゲイン設定やＰＬＬホールド等のＰＬＬ補正制御を行うための情報を生成し、ＰＬＬ補正制御部１００４へ送信する。ＰＬＬ補正制御部１００４には、更にランドプリピット信号ＬＰＰが入力され、ウォブルＰＬＬ部１００３の制御を行う。
【００９９】
ここで、光ディスク１のプリピットがランド部に記録されている影響から、ランドプリピットと隣接するウォブルはランドプリピットの干渉を受け、ウォブル信号ＷＢＰＦにジッタ成分となり現れる。この影響はウォブル信号ＷＢＰＦと周波数成分が近くウォブル抽出部１００２では除去が困難であり、ウォブルＰＬＬ部１００３には、このランドプリピットの干渉を受けたウォブル信号ＷＢＰＦが入力され、このジッタ成分が記録クロックのジッタとして現れることになる。
【０１００】
そこで、ＰＬＬ補正制御部１００４からランドプリピット信号ＬＰＰが存在する場所ではウォブルＰＬＬ部１００３のゲインを下げる補正制御を行い、上記のようにジッタ成分を持ったウォブル信号ＷＢＰＦが入力された場合でも記録クロックへの影響を低下させることができる。このウォブルＰＬＬ部１００３のゲイン調整は、ＣＰＵ７からのＰＬＬ補正制御情報を用いて装置の動作状態に応じて適切となるように制御してもよい。なお、ランドプリピット信号ＬＰＰが存在する場所ではウォブルＰＬＬ部１００３の動作をホールドする補正制御としても、ジッタ成分を持ったウォブル信号ＷＢＰＦが入力された場合でも記録クロックへの影響を低下させることができる。
【０１０１】
しかし、上記のようにランドプリピットの干渉ジッタによる記録クロックへの影響を低下させるためには、ランドプリピット信号ＬＰＰを誤検出しないことが前提となっている。すなわち、誤検出したランドプリピット信号ＬＰＰを用いてウォブルＰＬＬ部１００３のゲインを調整した場合には、光ディスク１から得られるウォブル信号ＷＢＰＦから取得する正確な線速度を得ることができない。特に再生動作から記録動作へ移行し、レーザパワーが増大するような場合においては、記録開始点はランドプリピット信号ＬＰＰが存在する箇所であり、記録開始直後にあるランドプリピット信号ＬＰＰで誤検出が発生すると記録開始直後のウォブルＰＬＬ部１００３の補正制御が誤動作し、記録クロックの周波数や位相にずれが生じる可能性がある。
【０１０２】
したがって、本発明の実施形態１０では、記録直後等の装置動作状態の切り替わり点で、ランドプリピット信号ＬＰＰの誤検出を防止しているため、上述したランドプリピットの干渉ジッタによる記録クロックへの影響を低下させることができるので、再生動作時に再生ＲＦ信号から生成されていた再生クロックと、記録動作時のウォブルから生成させる記録クロックとを周波数及び位相について一致させることができる。また、追加記録等によっても、追加される前の記録データに対し追加記録データは正確に書きつながれる。そして、この正確な書きつなぎによって、前回の記録データから得られる再生クロックと、追加記録した箇所の再生時に得られる再生クロックとが一筆書きのようにつながることによって、再生動作時のリーダビリティを向上させることができる。
【０１０３】
なお、上記の構成に用いられる情報記録再生装置としては、実施形態１から実施形態９に記載のいずれのものも用いることができる。
【０１０４】
また、図２０は、本発明の実施形態１０による情報記録再生装置の、シーク動作制御に関する構成図を示しており、その情報記録再生装置としては、実施形態９によるものを用いた一例である。
【０１０５】
図２０において、サーボ制御部１００５には、トラッキングエラー生成部９０１からのトラッキングエラー信号ＴＥが入力され、トラッキングサーボ動作制御やシーク動作制御が行われる。この動作制御は、サーボ制御部１００５とＣＰＵ７との間でサーボ制御情報を双方向に通信することにより実現している。
【０１０６】
また、ランドプリピット信号ＬＰＰは、図１９に記載の情報記録再生装置と同様に、ＬＰＰデコード部１００１に入力され、ＬＰＰアドレス情報を取得しＣＰＵ７に送信されている。
【０１０７】
ここで、シーク動作制御について説明する。シーク動作はＣＰＵ７からサーボ制御部１００５へのシーク動作指示の通知で行われる。シーク動作が完了すると、その完了をサーボ制御部１００５からＣＰＵ７に通知し、ＣＰＵ７はＬＰＰデコード部１００１から得たＬＰＰアドレス情報を確認し、シーク動作の目標アドレスへ到達したか否かを即座に判断し、目標アドレスへ到達していることを確認するとシーク動作を完了させる旨をサーボ制御部１００５に通知し、目標アドレスへ到達していなければ現在のアドレスから目標アドレスへのシーク動作指示をサーボ制御部１００５へ再通知する。
【０１０８】
上述したシーク動作制御においては、目標アドレスへの到達判断としてＣＰＵ７は誤検出防止されたランドプリピット信号ＬＰＰを用いたＬＰＰアドレス情報を使用するため、正確なアドレス情報として判断に用いることができる。
【０１０９】
しかし、プッシュプル信号ＰＰの状態又は装置動作状態の切り替わり点で誤検出の可能性がある情報記録再生装置を用いていた場合にはＬＰＰアドレス情報も誤ったものとなるため、ＬＰＰアドレス情報の連続性を監視する等の処理がＣＰＵ７で必要となり、正確なＬＰＰアドレス情報を得るまでＣＰＵ７で使用することができず、結果ＣＰＵ７は誤検出の恐れのない安定したランドプリピット信号ＬＰＰを得ると判断できるまでシーク動作の指示ができない。あるいは、誤ったＬＰＰアドレス情報をもとにシーク動作を繰り返すことになる。
【０１１０】
したがって、本発明の実施形態１０では、プッシュプル信号ＰＰの状態又は装置動作状態の切り替わり点でランドプリピット信号ＬＰＰの誤検出を防止しているため、シーク動作制御の高速化が可能となる。
【０１１１】
なお、上記の構成に用いられる情報記録再生装置としては、実施形態１から実施形態９に記載のいずれのものも用いることができる。
【０１１２】
以上、本発明の多くの特徴及び優位性は、記載された説明から明らかであり、よって添付の特許請求の範囲によって、本発明のそのような特徴及び優位性の全てをカバーすることが意図される。更に、多くの変更及び改変が当業者には容易に可能であるので、本発明は、図示され又は記載されたものと全く同じ構成及び動作に限定されるべきではない。したがって、全ての適切な改変物及び等価物は本発明の範囲に入るものとされる。
【産業上の利用可能性】
【０１１３】
本発明は、プッシュプル信号に振幅やオフセット等の急峻な変動がある場合にも、シーク動作や再生性能の低下を防ぐ効果を有するＤＶＤ−Ｒ／ＲＷ等のランドプリピットによるアドレス情報を有する光ディスク記録再生装置に利用できる。
【符号の説明】
【０１１４】
１  光ディスク
２  光ピックアップ
３  レーザダイオード
４  受光素子
５ａ，５ｂ  加算増幅器
６  減算増幅器
７  ＣＰＵ
８  レーザパワー制御部
９  ウォブルピーク検波部
１０  第１オフセット生成部
１１，１２  加算器
１３  比較器
１０１  遅延器
１０２  プッシュプル信号変動検出部
１０３  第２オフセット生成部
２０２  記録区間ゲート信号生成部
２０３  再生動作／記録動作切り替わり点検出部
３０２  記録済み領域検出ゲート信号生成部
３０３  記録済み領域／未記録領域切り替わり点検出部
４０３  レーザパワー切り替わり点検出部
５０２  ディフェクト領域検出ゲート信号生成部
５０３  ディフェクト領域／非ディフェクト領域切り替わり点検出部
６０１，７０１  オフセット量可変部
８０１  ドループ量制御部
９０１  トラッキングエラー生成部
９０２  トラッキングエラー変動検出部
１００１  ＬＰＰデコード部
１００２  ウォブル抽出部
１００３  ウォブルＰＬＬ部
１００４  ＰＬＬ補正制御部
１００５  サーボ制御部
【図１】
2010257531.tif 000003
【図２】
2010257531.tif 000004
【図３】
2010257531.tif 000005
【図４】
2010257531.tif 000006
【図５】
2010257531.tif 000007
【図６】
2010257531.tif 000008
【図７】
2010257531.tif 000009
【図８】
2010257531.tif 000010
【図９】
2010257531.tif 000011
【図１０】
2010257531.tif 000012
【図１１】
2010257531.tif 000013
【図１２】
2010257531.tif 000014
【図１３】
2010257531.tif 000015
【図１４】
2010257531.tif 000016
【図１５】
2010257531.tif 000017
【図１６】
2010257531.tif 000018
【図１７】
2010257531.tif 000019
【図１８】
2010257531.tif 000020
【図１９】
2010257531.tif 000021
【図２０】
2010257531.tif 000022
【図２１】
2010257531.tif 000023
【図２２】
2010257531.tif 000024